(57)【要約】      （修正有）【課題】金魚、熱帯魚等の観賞魚を飼育する水槽内の底に溜まった汚物等を円滑にかつ迅速に行える水槽清掃具の提供。【解決手段】吸水口３に吸水体８側からポンプ室２側への一方向のみの水Ｗの流れを可能とする開閉動作自在な吸水弁体９をもつ吸水弁機構１０が配設され、吐水口４に吐水体１１が配設され、吐水口にポンプ室側から吐水体側への一方向のみの水の流れを可能とする開閉動作自在な吐水弁体１２をもつ吐水弁機構１３が配設され、吐水体にフィルタ部材１４が着脱自在に配設されてなり、吸水弁体及び吐水弁体の開限度を規制する規制部１５・１６を配設してなる。【選択図】図６
2020005510.tif 000002
【特許請求の範囲】
【請求項１】
ポンプ部の内部にポンプ室が形成され、該ポンプ部に該ポンプ室に連通する吸水口及び吐水口が形成され、該ポンプ部に自己弾性復元可能な膨縮体が吸吐管を介して配設され、該膨縮体の内部に該吸吐管を介して該ポンプ室に連通する吸吐室が形成され、該吸水口に吸水体が配設され、該吸水口に該吸水体側からポンプ室側への一方向のみの水の流れを可能とする開閉動作自在な吸水弁体をもつ吸水弁機構が配設され、該吐水口に吐水体が配設され、該吐水口に該ポンプ室側から該吐水体側への一方向のみの水の流れを可能とする開閉動作自在な吐水弁体をもつ吐水弁機構が配設され、該吐水体にフィルタ部材が着脱自在に配設されてなり、上記吸水弁体及び上記吐水弁体の開限度を規制する規制部を配設してなることを特徴とする水槽清掃具。
【請求項２】
上記吸水弁体は吸水口を閉口可能な薄板状に形成され、該吸水弁体の一方側部に枢着部が形成され、上記ポンプ部に該枢着部の軸受部が形成され、上記吐水弁体は吐水口を閉口可能な薄板状に形成され、該吐水弁体の一方側部に枢着部が形成され、上記ポンプ部に該枢着部の軸受部が形成されてなることを特徴とする請求項１記載の水槽清掃具。
【請求項３】
上記吸水弁体は吸水口を閉口可能な反り弾性可能な薄膜状に形成され、該吸水弁体の一方側部に固着部が形成され、上記ポンプ部に該固着部の取付部が形成され、上記吐水弁体は吐水口を閉口可能な反り弾性可能な薄膜状に形成され、該吐水弁体の一方側部に固着部が形成され、上記ポンプ部に該固着部の取付部が形成されてなることを特徴とする請求項１記載の水槽清掃具。
【発明の詳細な説明】
【技術分野】
【０００１】
本発明は例えば、金魚、熱帯魚等の観賞魚を飼育する水槽内の底に溜まった汚物等を取り除く際に用いられる水槽清掃具に関するものである。
【背景技術】
【０００２】
従来、この種の水槽清掃具として、ポンプ部の内部にポンプ室が形成され、ポンプ部にポンプ室に連通する吸水口及び吐水口が形成され、ポンプ部に自己弾性復元可能な膨縮体が配設され、膨縮体の内部にポンプ室に連通する吸吐室が形成され、吸水口に水槽の底に届く長さの吸水管が配設され、吸水口に吸水管側からポンプ室側への一方向のみの水の流れを可能とする開閉動作自在な吸水弁体をもつ吸水弁機構が配設され、吐水口に吐水管が配設され、吐水口にポンプ室側から吐水管側への一方向のみの水の流れを可能とする開閉動作自在な吐水弁体をもつ吐水弁機構が配設され、吐水管にフィルタ部材が配設されてなる構造のものが知られている。
【０００３】
しかして、上記膨縮体を手で握持することにより収縮させ、収縮後、釈放して自己弾性復元により膨出させ、この膨縮体の膨出によりポンプ室内に水槽内の汚物を水と共に吸水弁機構を介して吸水口から吸い込み、膨縮体の収縮によりポンプ室内の汚物を水と共に吐水弁機構を介して吐水口から吐出し、吐水口から吐出した汚物をフィルタ部材に捕捉し、フィルタ部材を吐水管から取り外し、フィルタ部材に捕捉した汚物を取り除くようにしている。
【先行技術文献】
【特許文献】
【０００４】
【特許文献１】実開昭６０−６２２６１号公報
【発明の概要】
【発明が解決しようとする課題】
【０００５】
しかしながらこれら従来構造の場合、ポンプ部にポンプ室に連通する吸水口及び吐水口が形成され、吸水口に吸水管側からポンプ室側への一方向のみの水の流れを可能とする吸水弁体をもつ吸水弁が配設され、吐水口にポンプ室側から吐水管側への一方向のみの水の流れを可能とする吐水弁体をもつ吐水弁が配設され、これら吸水弁機構の吸水弁体及び吐水弁機構の吐水弁体の交互の開閉により水槽内の水と汚物の吸い上げ並びにそれらの吐出の繰り返しで汚物を取り除く構造のため、吸水弁機構の吸水弁体及び吐水弁機構の吐水弁体の開閉角度が過度に開きすぎると、迅速な吸い上げ及び吐出の繰り返しが困難となり、それだけ、汚物の清掃作業性が低下することがあるという不都合を有している。
【課題を解決するための手段】
【０００６】
本発明はこのような不都合を解決することを目的とするもので、本発明のうち、請求項１記載の発明は、ポンプ部の内部にポンプ室が形成され、該ポンプ部に該ポンプ室に連通する吸水口及び吐水口が形成され、該ポンプ部に自己弾性復元可能な膨縮体が吸吐管を介して配設され、該膨縮体の内部に該吸吐管を介して該ポンプ室に連通する吸吐室が形成され、該吸水口に吸水体が配設され、該吸水口に該吸水体側からポンプ室側への一方向のみの水の流れを可能とする開閉動作自在な吸水弁体をもつ吸水弁機構が配設され、該吐水口に吐水体が配設され、該吐水口に該ポンプ室側から該吐水体側への一方向のみの水の流れを可能とする開閉動作自在な吐水弁体をもつ吐水弁機構が配設され、該吐水体にフィルタ部材が着脱自在に配設されてなり、上記吸水弁体及び上記吐水弁体の開限度を規制する規制部を配設してなることを特徴とする水槽清掃具にある。
【０００７】
又、請求項２記載の発明は、上記吸水弁体は吸水口を閉口可能な薄板状に形成され、該吸水弁体の一方側部に枢着部が形成され、上記ポンプ部に該枢着部の軸受部が形成され、上記吐水弁体は吐水口を閉口可能な薄板状に形成され、該吐水弁体の一方側部に枢着部が形成され、上記ポンプ部に該枢着部の軸受部が形成されてなることを特徴とするものであり、又、請求項３記載の発明は、上記吸水弁体は吸水口を閉口可能な反り弾性可能な薄膜状に形成され、該吸水弁体の一方側部に固着部が形成され、上記ポンプ部に該固着部の取付部が形成され、上記吐水弁体は吐水口を閉口可能な反り弾性可能な薄膜状に形成され、該吐水弁体の一方側部に固着部が形成され、上記ポンプ部に該固着部の取付部が形成されてなることを特徴とするものである。
【発明の効果】
【０００８】
本発明は上述の如く、請求項１記載の発明にあっては、水槽内にポンプ部を差し込み、上記膨縮体を手で握持して収縮させ、収縮後、釈放して自己弾性復元により膨出させ、膨縮体の膨出によりポンプ室内に水槽内の汚物を水と共に吸水弁機構を介して吸水口から吸い込み、膨縮体の収縮によりポンプ室内の汚物を水と共に吐水弁機構を介して吐水口から吐出し、すなわち、ポンプ室内への水の吸い込み時、吸水弁機構の吸水弁体は開動作すると共に吐水弁機構の吐水弁体は閉動作し、ポンプ室からの水の吐出時、吸水弁機構の吸水弁体は閉動作すると共に吐水弁機構の吐水弁体は開動作し、膨縮体の膨出及び収縮を複数回繰り返し、吸水弁機構の吸水弁体及び吐水弁機構の吐水弁体の交互の開閉動作を繰り返し、吐水口から吐出した汚物をフィルタ部材に捕捉し、フィルタ部材を吐水体から取り外し、フィルタ部材に捕捉した汚物を取り除くことになり、この際、上記吸水弁体及び上記吐水弁体の開限度を規制する規制部を配設しているから、上記吸水弁体及び上記吐水弁体の過度の開動作を規制することができ、膨縮体の膨出及び収縮に伴う吸水弁機構の吸水弁体及び吐水弁機構の吐水弁体の交互の開閉動作を円滑に行うことができ、それだけ、膨縮体の膨出によるポンプ室内への水の吸い込み、及び、膨縮体の収縮によるポンプ室内からの水の吐出を円滑かつ迅速に行うことができ、汚物をフィルタ部材により円滑に捕捉することができ、水槽の清掃を円滑に行うことができる。
【０００９】
又、請求項２記載の発明にあっては、上記吸水弁体は吸水口を閉口可能な薄板状に形成され、吸水弁体の一方側部に枢着部が形成され、上記ポンプ部に枢着部の軸受部が形成され、一方、上記吐水弁体は吐水口を閉口可能な薄板状に形成され、吐水弁体の一方側部に枢着部が形成され、上記ポンプ部に枢着部の軸受部が形成されているから、上記吸水弁体及び吐水弁体の開閉動作を確実に行うことができ、ポンプ室内への水の吸い込み、及び、ポンプ室内からの水の吐出を円滑かつ迅速に行うことができ、水槽の清掃を円滑に行うことができる。
【００１０】
又、請求項３記載の発明にあっては、上記吸水弁体は吸水口を閉口可能な反り弾性可能な合成樹脂製の薄膜状に形成され、吸水弁体の一方側部に固着部が形成され、上記ポンプ部に固着部の取付部が形成され、上記吐水弁体は吐水口を閉口可能な反り弾性可能な合成樹脂製の薄膜状に形成され、吐水弁体の一方側部に固着部が形成され、上記ポンプ部に固着部の取付部が形成されているから、吸水弁体及び吐水弁体の反り弾性により吸水弁機構及び吐水弁機構は開閉動作し、吸水弁体及び吐水弁体の開閉動作を確実に行うことができ、ポンプ室内への水の吸い込み、及び、ポンプ室内からの水の吐出を円滑かつ迅速に行うことができ、水槽の清掃を円滑に行うことができる。
【図面の簡単な説明】
【００１１】
【図１】本発明の実施の第一形態例の全体斜視図である。
【図２】本発明の実施の第一形態例の部分分解斜視図である。
【図３】本発明の実施の第一形態例の部分側断面図である。
【図４】本発明の実施の第一形態例の部分側断面図である。
【図５】本発明の実施の第一形態例の部分平断面図である。
【図６】本発明の実施の第一形態例の使用状態の部分側断面図である。
【図７】本発明の実施の第一形態例の他の使用状態の部分側断面図である。
【図８】本発明の実施の第一形態例の使用状態図である。
【図９】本発明の実施の第二形態例の部分側断面図である。
【図１０】本発明の実施の第二形態例の部分平断面図である。
【図１１】本発明の実施の第二形態例の使用状態の部分側断面図である。
【図１２】本発明の実施の第二形態例の他の使用状態の部分側断面図である。
【図１３】本発明の実施の第三形態例の部分斜視図である。
【図１４】本発明の実施の第三形態例の部分側断面図である。
【図１５】本発明の実施の第四形態例の部分斜視図である。
【図１６】本発明の実施の第四形態例の部分側断面図である。
【図１７】本発明の実施の第五形態例の部分斜視図である。
【図１８】本発明の実施の第五形態例の部分側断面図である。
【発明を実施するための形態】
【００１２】
図１乃至図１８は本発明の実施の形態例であって、図１乃至図８は第一形態例、図９乃至図１２は第二形態例、図１３及び図１４は第三形態例、図１５及び図１６は第四形態例、図１７及び図１８は第五形態例である。
【００１３】
図１乃至図８の第一形態例において、１はポンプ部であって、図１、図２、図３、図４の如く、円筒形状に形成されてポンプ部１の内部にポンプ室２が形成され、ポンプ部１の底部にポンプ室２に連通する吸水口３が形成され、ポンプ部１の側部にポンプ室２に連通する吐水口４が形成され、ポンプ部１に自己弾性復元可能な膨縮体５が吸吐管６を介して配設され、この場合、図３の如く、上記膨縮体５はゴム材により中空状に形成され、膨縮体５の内部にポンプ室２に吸吐管６を介して連通する吸吐室７が形成され、吸水口３に吸水体８が配設され、この場合、吸水体８は底部に複数個の吸水穴８ａ・・を有する有底筒状に形成され、吸水口３に吸水体８側からポンプ室２側への一方向のみの水Ｗの流れを可能とする開閉動作自在な吸水弁体９をもつ吸水弁機構１０が配設され、吐水口４に吐水体１１が配設され、吐水口４にポンプ室２側から吐水体１１側への一方向のみの水Ｗの流れを可能とする開閉動作自在な吐水弁体１２をもつ吐水弁機構１３が配設され、吐水体１１にフィルタ部材１４を着脱自在に配設して構成している。
【００１４】
この場合、図２、図４、図５の如く、上記吸水弁体９は吸水口３を閉口可能な剛性を有する合成樹脂製の薄板状に形成され、吸水弁体９の一方側部に一対の枢着部９ａ・９ａが形成され、上記ポンプ部１に枢着部９ａ・９ａの軸受部１ａ・１ａが形成され、一方、上記吐水弁体１２は吐水口４を閉口可能な合成樹脂製の剛性を有する薄板状に形成され、吐水弁体１２の一方側部に一対の枢着部１２ａ・１２ａが形成され、上記ポンプ部１に枢着部１２ａ・１２ａの軸受部１ｂ・１ｂが形成され、これにより吸水弁体９は一対の枢着部９ａ・９ａと軸受部１ａ・１ａとにより開閉動作自在に構成され、吐水弁体１２は一対の枢着部１２ａ・１２ａと軸受部１ｂ・１ｂとにより開閉動作自在に構成されている。
【００１５】
１５・１６は規制部であって、図２、図４、図５の如く、規制部１５は上記ポンプ部１の底部に突出形成され、規制部１５は吸水弁体９に当接して吸水弁体９の開限度が規制され、これにより吸水弁体９の過度の開動作が規制され、又、規制部１６は上記ポンプ部１の側部に突出形成され、吐水弁体１２に当接して吐水弁体１２の開限度が規制され、これにより吐水弁体１２の過度の開動作が規制されるように構成している。
【００１６】
この実施の第一形態例は上記構成であるから、図８の如く、水槽Ｓ内にポンプ部１を差し込み、上記膨縮体５を手で握持して収縮させ、収縮後、釈放して自己弾性復元により膨出させ、図６の如く、膨縮体５の膨出によりポンプ室２内に水槽Ｓ内の汚物Ｄを水Ｗと共に吸水弁機構１０を介して吸水口３から吸い込み、図７の如く、膨縮体５の収縮によりポンプ室２内の汚物Ｄを水Ｗと共に吐水弁機構１３を介して吐水口４から吐出し、すなわち、図６の如く、ポンプ室２内への水Ｗの吸い込み時、吸水弁機構１０の吸水弁体９は開動作すると共に吐水弁機構１３の吐水弁体１２は閉動作し、図７の如く、ポンプ室２からの水Ｗの吐出時、吸水弁機構１０の吸水弁体９は閉動作すると共に吐水弁機構１３の吐水弁体１２は開動作し、膨縮体５の膨出及び収縮を複数回繰り返し、吸水弁機構１０の吸水弁体９及び吐水弁機構１３の吐水弁体１２の交互の開閉動作を繰り返し、吐水口４から吐出した汚物Ｄをフィルタ部材１４に捕捉し、フィルタ部材１４を吐水体１１から取り外し、フィルタ部材１４に捕捉した汚物Ｄを取り除くことになる。
【００１７】
この場合、上記吸水弁体９及び上記吐水弁体１２の開限度を規制する規制部１５・１６を配設しているから、上記吸水弁体９及び上記吐水弁体１２の過度の開動作を規制することができ、膨縮体５の膨出及び収縮に伴う吸水弁機構１０の吸水弁体９及び吐水弁機構１３の吐水弁体１２の交互の開閉動作を円滑に行うことができ、それだけ、膨縮体５の膨出によるポンプ室２内への水Ｗの吸い込み、及び、膨縮体５の収縮によるポンプ室２内からの水Ｗの吐出を円滑かつ迅速に行うことができ、汚物Ｄをフィルタ部材１４により円滑に捕捉することができ、水槽Ｓの清掃を円滑に行うことができる。
【００１８】
又、この場合、上記吸水弁体９は吸水口３を閉口可能な薄板状に形成され、吸水弁体９の一方側部に一対の枢着部９ａ・９ａが形成され、上記ポンプ部１に枢着部９ａ・９ａの軸受部１ａ・１ａが形成され、一方、上記吐水弁体１２は吐水口４を閉口可能な薄板状に形成され、吐水弁体１２の一方側部に一対の枢着部１２ａ・１２ａが形成され、上記ポンプ部１に枢着部１２ａ・１２ａの軸受部１ｂ・１ｂが形成されているから、上記吸水弁体９及び吐水弁体１２の開閉動作を確実に行うことができ、ポンプ室２内への水Ｗの吸い込み、及び、ポンプ室２内からの水Ｗの吐出を円滑かつ迅速に行うことができ、水槽Ｓの清掃を円滑に行うことができる。
【００１９】
図９乃至図１２の第二形態例は吸水弁機構１０の吸水弁体９及び吐水弁機構１３の吐水弁体１２の別例構造を示し、この場合、図９、図１０の如く、上記吸水弁体９は吸水口３を閉口可能な反り弾性可能な合成樹脂製の薄膜状に形成され、吸水弁体９の一方側部に固着部９ｂが形成され、上記ポンプ部１に固着部９ｂの取付部１ｃが形成され、上記吐水弁体１２は吐水口４を閉口可能な反り弾性可能な合成樹脂製の薄膜状に形成され、吐水弁体１２の一方側部に固着部１２ｂが形成され、上記ポンプ部１に固着部１２ｂの取付部１ｄが形成され、この場合、固着部９ｂ・１２ｂを取付部１ｃ・１ｄに接着手段により固着し、吸水弁体９及び吐水弁体１２の反り弾性により開閉動作自在に構成している。
【００２０】
かつ、上記ポンプ部１の底部に規制部１５が突出形成され、規制部１５は吸水弁体９に当接して吸水弁体９の開限度が規制され、これにより吸水弁体９の過度の開動作が規制され、又、規制部１６は上記ポンプ部１の側部に突出形成され、吐水弁体１２に当接して吐水弁体１２の開限度が規制され、これにより吐水弁体１２の過度の開動作が規制されるように構成している。
【００２１】
この第二形態例にあっては、図１１、図１２の如く、吸水弁体９及び吐水弁体１２の反り弾性により吸水弁機構１０及び吐水弁機構１３は開閉動作し、吸水弁体９及び吐水弁体１２の開閉動作を確実に行うことができ、ポンプ室２内への水Ｗの吸い込み、及び、ポンプ室２内からの水Ｗの吐出を円滑かつ迅速に行うことができ、水槽Ｓの清掃を円滑に行うことができ、上記吸水弁体９及び上記吐水弁体１２の開限度を規制する規制部１５・１６により上記吸水弁体９及び上記吐水弁体１２の過度の開動作を規制することができ、膨縮体５の膨出及び収縮に伴う吸水弁機構１０の吸水弁体９及び吐水弁機構１３の吐水弁体１２の交互の開閉動作を円滑に行うことができ、膨縮体５の膨出によるポンプ室２内への水Ｗの吸い込み、及び、膨縮体５の収縮によるポンプ室２内からの水Ｗの吐出を円滑かつ迅速に行うことができると共に吸水弁機構１０及び吐水弁機構１３の構造を簡素化することができる。
【００２２】
図１３及び図１４の第三形態例は上記吸水体８の別例構造を示し、上記第一形態例の吸水体８は底部に複数個の吸水穴８ａ・・を有する有底筒状に形成されているが、この場合、吸水穴８ａを有する先細漏斗状に形成され、側部に掻部材８ｂが突設され、掻部材８ｂにより水槽Ｓの底部に沈殿する汚物Ｄを掻き出すように構成している。
【００２３】
この第三形態例にあっては、上記第一形態例と同様な作用効果を得ることができると共に吸水体８の掻部材８ｂにより水槽Ｓの底部の砂等を掻くことができ、沈殿する汚物Ｄの取り除きを良好に行うことができる。
【００２４】
図１５及び図１６の第四形態例も上記吸水体８の別例構造を示し、この場合、吸水穴８ａを有する先広がりのラッパ状に形成され、水槽Ｓの底部に沈殿する汚物Ｄを広く吸い込むように構成している。
【００２５】
この第四形態例にあっては、上記第一形態例と同様な作用効果を得ることができると共に先広がりのラッパ状の吸水体８により水槽Ｓの汚物Ｄを広く吸い込むことができ、沈殿する汚物Ｄの取り除きを良好に行うことができる。
【００２６】
図１７及び図１８の第五形態例も上記吸水体８の別例構造を示し、この場合、上記第三形態例の掻部材８ｂが存在しない吸水穴８ａを有する先細漏斗状に形成されている。
【００２７】
この第五形態例にあっては、上記第一形態例と同様な作用効果を得ることができると共に先細漏斗状の吸水体８により水槽Ｓの水Ｗ及び汚物Ｄを確実に吸い込むことができ、沈殿する汚物Ｄの取り除きを良好に行うことができる。
【００２８】
尚、本発明は上記実施の形態例に限られるものではなく、水Ｗ、ポンプ部１、軸受部１ａ、軸受部１ｂ、取付部１ｃ、取付部１ｄ、ポンプ室２、吸水口３、吐水口４、膨縮体５、吸吐管６、吸吐室７、吸水体８、吸水弁体９、枢着部９ａ、固着部９ｂ、吸水弁機構１０、吐水体１１、吐水弁体１２、枢着部１２ａ、固着部１２ｂ、吐水弁機構１３、フィルタ部材１４、規制部１５、規制部１６の構造等は適宜変更して設計される。
【００２９】
以上、所期の目的を充分達成することができる。
【符号の説明】
【００３０】
Ｗ    水
１    ポンプ部
１ａ    軸受部
１ｂ    軸受部
１ｃ    取付部
１ｄ    取付部
２    ポンプ室
３    吸水口
４    吐水口
５    膨縮体
６    吸吐管
７    吸吐室
８    吸水体
９    吸水弁体
９ａ    枢着部
９ｂ    固着部
１０    吸水弁機構
１１    吐水体
１２    吐水弁体
１２ａ    枢着部
１２ｂ    固着部
１３    吐水弁機構
１４    フィルタ部材
１５    規制部
１６    規制部
【図１】
2020005510.tif 000003
【図２】
2020005510.tif 000004
【図３】
2020005510.tif 000005
【図４】
2020005510.tif 000006
【図５】
2020005510.tif 000007
【図６】
2020005510.tif 000008
【図７】
2020005510.tif 000009
【図８】
2020005510.tif 000010
【図９】
2020005510.tif 000011
【図１０】
2020005510.tif 000012
【図１１】
2020005510.tif 000013
【図１２】
2020005510.tif 000014
【図１３】
2020005510.tif 000015
【図１４】
2020005510.tif 000016
【図１５】
2020005510.tif 000017
【図１６】
2020005510.tif 000018
【図１７】
2020005510.tif 000019
【図１８】
2020005510.tif 000020